(57)【要約】【課題】振動するチップの意図せぬ変形を抑制した超音波手術用チップを提供する。【解決手段】白内障等によって白濁した水晶体核を破砕乳化する際に使用される超音波手術用チップは、回転軸に沿って先端方向に伸びる軸部と、軸部の先端側に接続され、回転軸から離間しつつ先端方向に伸びる破砕部と、破砕部の少なくとも一部に形成され、回転軸の周方向に伸びる湾曲形状部とを備える。また、湾曲形状部の少なくとも一部の側面は、回転軸の概同心円に沿った形状で形成されている。【選択図】図２
2018143325.tif 000002
【特許請求の範囲】
【請求項１】
回転軸に沿って先端方向に伸びる軸部と、
前記軸部の先端側に接続され、前記回転軸から離間しつつ前記先端方向に伸びる破砕部と、
前記破砕部の少なくとも一部に形成され、前記回転軸の周方向に伸びる湾曲形状部と、
を備えたことを特徴とする超音波手術用チップ。
【請求項２】
請求項１に記載の超音波手術用チップであって、
前記湾曲形状部の少なくとも一部の側面は、前記回転軸の概同心円に沿った形状で形成されている、
ことを特徴とする超音波手術用チップ。
【請求項３】
請求項２に記載の超音波手術用チップであって、
前記湾曲形状部の前記回転軸と面する側面と、前記湾曲形状部の前記回転軸から遠ざかる方向を向く側面は共に、前記回転軸の同心円に沿った形状で形成されている、
ことを特徴とする超音波手術用チップ。
【請求項４】
請求項１〜３のいずれか１項に記載の超音波手術用チップであって、
前記回転軸の周方向に配置される前記湾曲形状部の側面は、前記回転軸の周方向に膨らむ形状で形成されている、
ことを特徴とする超音波手術用チップ。
【請求項５】
請求項１〜４のいずれか１項に記載の超音波手術用チップであって、
前記破砕部は筒状で形成されており、
前記破砕部の先端には患者眼の組織を吸引するための吸引孔が配置されている、
ことを特徴とする超音波手術用チップ。
【発明の詳細な説明】
【技術分野】
【０００１】
本開示は、白内障等によって白濁した水晶体核を破砕乳化する際に使用される超音波手術用チップに関する。
【背景技術】
【０００２】
特許文献１には、ハンドピースに取り付けられることにより、長手方向及び／または横方向（捩れ方向）に振動可能な切断チップが開示されている。
【先行技術文献】
【特許文献】
【０００３】
【特許文献１】特許５６２４１３４号公報
【発明の概要】
【発明が解決しようとする課題】
【０００４】
ところで、特許文献１の切断チップにて例示されるような捩れ振動を行うチップにおいて、捩れ振動時に、チップの特定の箇所、又はチップ全体が大きく変形する恐れがあった。例えば、チップが大きく変形する箇所では、発熱する恐れがあった。かかる発熱が、患者眼の組織（例えば角膜や虹彩）に負担をかける恐れがあった。また、チップが大きく変形すると、チップ自体の破損につながる恐れがあった。
【０００５】
本開示は、上記した問題点を解決するためのものであり、振動するチップの意図せぬ変形を抑制した超音波手術用チップを提供することを目的とする。
【課題を解決するための手段】
【０００６】
上記課題を解決するために、本発明は以下のような構成を備えることを特徴とする。
（１）  超音波手術用チップは、回転軸に沿って先端方向に伸びる軸部と、前記軸部の先端側に接続され、前記回転軸から離間しつつ前記先端方向に伸びる破砕部と、前記破砕部の少なくとも一部に形成され、前記回転軸の周方向に伸びる湾曲形状部と、を備えたことを特徴とする。
【発明の効果】
【０００７】
本開示の超音波手術用チップによれば、振動するチップの意図せぬ変形が抑制される。
【図面の簡単な説明】
【０００８】
【図１】本実施形態のＵＳハンドピースの左側面図（一部断面図）である。
【図２】第１実施形態のチップを左斜め上方からみた外観斜視図である。
【図３】第１実施形態のチップによる水晶体核の破砕乳化を説明する図である。
【図４】第１実施形態のチップの左側面図である。
【図５】図４のＡ−Ａ断面図である。
【図６】破砕部の形状と破砕部が受ける水の抵抗との関係を説明する図である。
【図７】第２実施形態のチップを左斜め上方からみた外観斜視図である。
【図８】第２実施形態のチップの左側面図である。
【図９】図８のＢ−Ｂ断面図である。
【図１０】破砕部の形状と破砕部が受ける水の抵抗との関係を説明する図である。
【図１１】比較用のチップの左側面図である。
【図１２】図１１のＣ−Ｃ断面図である。
【発明を実施するための形態】
【０００９】
＜第１実施形態＞
本開示の典型的な実施形態を図面に基づいて説明する。まず、第１実施形態について説明する。本実施形態のＵＳハンドピース１は、一例として、白内障によって白濁した水晶体核７１を超音波振動により破砕乳化し、破砕乳化した水晶体核７１を吸引して除去する手術器具である。図１に示すように、本実施形態のＵＳハンドピース１は、ＵＳハンドピース本体１１、スリーブ１２等を有する。また、本実施形態のＵＳハンドピース本体１１は、ホーン２１、チップ２２（超音波手術用チップ）、吸引通路２３等を備えている。なお、本実施形態のホーン２１は、振動子（不図示）で発生された超音波振動を増幅する。
【００１０】
本実施形態のチップ２２は、筒状に形成され、ホーン２１の先端に固定されている。なお、本実施形態のチップ２２は、ホーン２１に対して着脱可能である。本実施形態のチップ２２は、水晶体核７１（「眼組織」の一例）を破砕乳化できる。一例として、本実施形態のチップ２２はチタン合金で形成されている。また、本実施形態のチップ２２は、吸引孔３１、吸引通路３２等を備えている。本実施形態の吸引孔３１は、チップ２２の先端（眼組織を吸引する側の端部）に形成されている。本実施形態では、吸引孔３１と吸引通路３２が連通している。
【００１１】
なお、本実施形態の吸引孔３１は、破砕乳化した水晶体核７１（図３参照）、眼内に存在する流体（液体又は気体）、等を吸引できる。本実施形態では、スリーブ１２に設けられる流出孔（不図示）から眼内に灌流液（例えば、生理食塩水）を供給し、供給した灌流液を吸引孔３１から吸引できる。また、本実施形態の吸引通路３２は、吸引通路２３（図１参照）に連通している。なお、チップ２２については、後ほど詳細に説明する。
【００１２】
本実施形態の吸引通路２３は、ホーン２１及び振動子等に形成されている。本実施形態の吸引通路２３は、一方の端部がチップ２２の吸引通路３２に接続（連通）し、他方の端部が吸引装置（不図示）に接続（連通）されている。本実施形態のスリーブ１２は、筒状（例えば、先細りの円筒状）に形成されている。本実施形態のスリーブ１２は、ＵＳハンドピース本体１１に固定されている。なお、本実施形態のスリーブ１２は、ＵＳハンドピース本体１１に対して着脱可能である。本実施形態のスリーブ１２は、一例として、シリコン樹脂等の軟性を有する材質で形成されている。本実施形態のスリーブ１２は、チップ２２の先端を突出させた状態でチップ２２を被覆している。
【００１３】
次いで、図２，図４，図５を用いて、本実施形態のチップ２２を詳細に説明する。本実施形態のチップ２２は、軸部４１と破砕部４２を備えている。本実施形態の軸部４１は、回転軸Ｒを中心軸として円筒状に形成される中空の細管である。本実施形態の軸部４１の壁４８は、回転軸Ｒを中心とした曲率半径Ｑ１の曲面で形成されている。なお、以降の説明では、筒状を形成するチップ２２（チップ２５）の壁の厚さが十分薄いものとして説明する。従って、かかる筒状を形成する壁を側面と換言してもよい。一例として、軸部４１の側面（壁４８）は、回転軸Ｒを中心とした曲率半径Ｑ１の曲面で形成されている。
【００１４】
本実施形態の軸部４１は、回転軸Ｒを中心として対称な形状で形成されている。換言するなら、軸部４１の重心位置Ｇ１は、回転軸Ｒ上に配置されている。軸部４１は、回転軸Ｒに沿って先端方向（図２では紙面左下方向）に伸びる。本実施形態では、軸部４１の先端側に破砕部４２が接続されている。なお、軸部４１の基端側は、ホーン２１（図１参照）に接続される。本実施形態の軸部４１は、図２と図５にて矢印αで示されるように、振動子により回転軸Ｒを中心にして所定角度（微少角度）の範囲内を捩れ振動（以降の説明では回転、または回動と称する場合がある）する。なお、軸部４１が振動子により、回転軸Ｒに沿って振動（前後方向への直動振動）できてもよい。
【００１５】
本実施形態の破砕部４２は、回転軸Ｒに対して傾斜する傾斜軸Ｉ（図４参照）を中心軸として有する。本実施形態の破砕部４２は、筒状に形成される中空の細管である。本実施形態の破砕部４２は、回転軸Ｒ（又は傾斜軸Ｉ）を中心として非対称な形状で形成されている。換言するなら、破砕部４２の重心位置Ｇ２は、回転軸Ｒから離れた位置に配置されている（図５参照）。なお、図２と図４で示すように、互いに直交する上下軸（Ｙ軸），左右軸（Ｘ軸），前後軸（Ｚ軸）を定義し、回転軸ＲがＺ軸方向に沿うとした場合、本実施形態の傾斜軸Ｉは、ＹＺ軸面において回転軸Ｒに対してＹ軸（上下軸）方向側に傾斜している。換言するなら、本実施形態の破砕部４２は、回転軸Ｒから離間しつつ先端方向（図２では紙面左方向）に伸びる。なお、本実施形態のチップ２２を上方から見た場合（図２を紙面上方から見た場合）、破砕部４２の幅（回転軸Ｒに直交する方向）は軸部４１の幅（回転軸Ｒに直交する方向）よりも広い（図５を合わせて参照されたし）。
【００１６】
本実施形態の破砕部４２の先端には、水晶体核７１に接触する刃部４３が形成されている。本実施形態のチップ２２を図２の紙面上方から見た場合、本実施形態の刃部４３の形状はチップ２２の基端方向に湾曲している（図３を合わせて参照されたし）。破砕部４２の基端側は、軸部４１に接続されている。本実施形態のチップ２２は、筒状の破砕部４２と筒状の軸部４１とが連結されることで、チップ２２の基端から先端にかけて、吸引通路３２が連通している（図１参照）。本実施形態の破砕部４２は、回転軸Ｒの周方向に伸びる湾曲形状部４７（側面）を備える。換言するなら、本実施形態の破砕部４２は、回転軸Ｒの周方向に伸びる湾曲形状の側面領域を有する。なお、本実施形態の湾曲形状部４７を、回転軸Ｒの周方向に伸びる扁平形状部、または回転軸Ｒの周方向に伸びる楕円形状部、水の抵抗を低減するための湾曲形状の側面などと換言してもよい。
【００１７】
本実施形態の湾曲形状部４７は、破砕部４２の基端から先端まで続いている。しかし、湾曲形状部４７の配置位置（形成位置）はこれに限るものでない。例えば、破砕部４２の先端のみに湾曲形状部４７が配置されていてもよい。又は、破砕部４２が複数の湾曲形状部４７を有し、各々の湾曲形状部４７同士が離間していてもよい。又は、湾曲形状部４７が破砕部４２の片側側面（例えば図２にて紙面上方を向く側面）のみに形成されていてもよい。
【００１８】
図３を併用して、本実施形態のＵＳハンドピース１が、水晶体核７１を破砕乳化させる一例を説明する。なお、図３は、刃部４３を患者眼に押し当てた状態であり、図２の紙面下方から見た断面図に相当する。本実施形態のＵＳハンドピース１は、振動子が駆動されると超音波振動を発生する。発生された超音波振動により、眼内に差し込まれたチップ２２が振動され、チップ２２の先端（刃部４３）で水晶体核７１に衝撃を加えて水晶体核７１を破砕乳化させる。図３において、破砕部４２は紙面左右方向に振動する。これにより、刃部４３が水晶体核７１を破砕乳化させる。
【００１９】
破砕乳化された水晶体核７１は、スリーブ１２に設けられる流出孔から、眼内に供給された灌流液とともにチップ２２の先端の吸引孔３１から吸引される。吸引孔３１を介して体外に排出された水晶体核７１は、吸引装置により吸引通路３２と吸引通路２３を介して吸引される。このようにして、本実施形態のＵＳハンドピース１は、水晶体核７１を超音波振動により破砕乳化すると共に、破砕乳化した水晶体核７１を吸引して除去する。なお、ＵＳハンドピースが破砕乳化のみを行う態様であってもよい。この場合、例えば、チップ２２を筒状にする必要がない。
【００２０】
本実施形態のチップ２２をより詳細に説明する。本実施形態の軸部４１は、振動子により、図２，図５にて矢印αで示すように、回転軸Ｒを中心にして所定角度の範囲内で振動する。これにより、破砕部４２の先端に配置されている刃部４３は、刃部４３の径方向（図２のＸ方向）について、所定の範囲（例えば、０．１ｍｍ）内で振動する。なお、本実施形態の刃部４３が、回転軸Ｒに沿って微少に振動（前後運動）しつつ、回転軸Ｒを中心にした周方向の振動（捩れ振動）を行ってもよい。
【００２１】
図２，図４，図５を用いて、本実施形態の破砕部４２を詳細に説明する。なお、図５の断面図は、破砕部４２の断面であると共に、湾曲形状部４７の断面でもある。本実施形態の破砕部４２は、壁５１、壁５２、壁５３、および壁５４を有する。本実施形態の壁５１と壁５２は、互いが面している。また、壁５１と壁５２は、回転軸Ｒから遠ざかる方向に湾曲している。壁５１と壁５２は、回転軸Ｒの同心円に沿った形状で形成されている。壁５１は、壁５２よりも回転軸Ｒに近い位置に配置されている。なお、本実施形態では、壁４８（軸部４１の側面）の曲率半径Ｑ１は壁５１（破砕部４２の側面）の曲率半径Ｑ２よりも大きい。また、壁５２の曲率半径Ｑ３は壁４８の曲率半径Ｑ１よりも大きい。
【００２２】
本実施形態では、壁５１と壁５２の片端（図５では紙面右側）に壁５３が接続され、壁５１と壁５２の他端（図５では紙面左側）に壁５４が接続される。各々の壁同士の接続箇所は、滑らかな曲面で形成されている。壁５３は、回転軸Ｒの周方向に伸びる方向（図５では紙面右下方向）に湾曲している。壁５４も壁５３と同様に、回転軸Ｒの周方向に伸びる方向（図５では紙面左下方向）に湾曲している。換言するなら、壁５３と壁５４は、破砕部４２の回転方向であって、回転時に受ける水の抵抗を低減させる方向に湾曲している。本実施形態の破砕部４２は、壁５１、壁５２、壁５３、および壁５４により筒形状で形成されている。つまり、本実施形態の湾曲形状部４７は、破砕部４２の曲げ方向と一致させたＵ字形状を形成させ、湾曲形状部４７の内外周を回転軸Ｒの概同心円又は同心円に沿わせた形状といえる。本実施形態では、破砕部４２の捩れ振動（回転方向）の面積（投影面積）を減らすことで、眼内（水中）動作時の水の抵抗を減少できる。
【００２３】
以上説明したように、本実施形態では、壁５１、壁５２、壁５３、および壁５４により、回転軸Ｒの周方向に伸びる湾曲形状部４７が形成されている。また、湾曲形状部４７を形成する少なくとも一部の側面（壁５１又は壁５２）は、回転軸Ｒの同心円に沿った形状で形成されている。また、湾曲形状部４７の回転軸と面する壁５１と、湾曲形状部４７の回転軸から遠ざかる方向を向く壁５２は共に、回転軸Ｒの概同心円に沿った形状で形成されている。また、回転軸Ｒの周方向に配置される壁５３又は壁５４は、回転軸Ｒの周方向に膨らむ形状で形成されている。また、本実施形態の破砕部４２は筒状で形成されており、破砕部４２の先端には患者眼の組織を吸引するための吸引孔３１が配置されている。吸引孔３１は吸引通路３２の先端に配置され、吸引通路３２は軸部４１の基端まで伸びる。
【００２４】
図１１，図１２を用いて、比較用のチップ２４を説明する。比較用のチップ２４も軸部４１と破砕部４４を備える。軸部４１の壁４８は、回転軸Ｒを中心とした曲率半径Ｑ１の曲面で形成されている。破砕部４４は、回転軸Ｒに対して傾斜している。比較用の破砕部４４は、壁５５と壁５６を有する。壁５５と壁５６は、曲率半径Ｑ１で形成されている。破砕部４４は、壁５５と壁５６が接続され筒状で形成されている。破砕部４４は、図１２の矢印αに示されるように、振動子により回転軸Ｒを中心にして所定角度（微少角度）の範囲内を捩れ振動する。
【００２５】
図６を用いて、本実施形態のチップ２２と比較用のチップ２４を比較する。図６にて実線で示した箇所は、破砕部（破砕部４２又は破砕部４４）が紙面右方向に回動した際に水の抵抗を受け易い箇所である。領域Ｐ１は本実施形態の破砕部４２が紙面右方向に回転した際に水の抵抗を受け易い領域であり、領域Ｐ２は比較用の破砕部４４が紙面右方向に回転した際に水の抵抗を受け易い領域である。なお、図６は、一例として、図４のＡ−Ａ断面位置、および図１１のＣ−Ｃ断面位置を示している。領域Ｐ１と領域Ｐ２の長さを比較すると、領域Ｐ１の長さは領域Ｐ２の長さよりも短い。つまり、本実施形態のチップ２２は、比較用のチップ２４よりも、水中での回転時に水の抵抗を受け難い。なお、本実施形態の壁５１と壁５２は回転軸Ｒの概同心円に沿わせた形状であり、壁５１と壁５２は水中での回転時に水の抵抗を受け難い。
【００２６】
回転する破砕部４２が受ける水の抵抗が大きくなるほど、チップ２２は一部または全体が変形し易くなる。本実施形態の破砕部４２は、回転時の水の抵抗が低減されている。これにより、チップ２２の意図しない変形が抑制される。従って、例えば、チップ２２の意図しない変形によるチップ２２の発熱が抑制される。なお、図６で示す断面図において、吸引通路３２の幅（破砕部４２については回転軸Ｒに対する周方向であり、破砕部４４については図６の紙面左右方向）は、本実施形態の破砕部４２の方が比較用の破砕部４４よりも長い。これにより、本実施形態の破砕部４２は、吸引面積（換言するなら吸引流量）を確保しつつ、回転時の水の抵抗を低減し易い。
【００２７】
なお、本実施形態の破砕部４２は、回転軸Ｒから遠ざかる方向に伸び続ける。しかし、破砕部４２の形状は本開示に限るものではない。例えば、刃部４３と軸部４１が回転軸Ｒ上に配置され、破砕部４２の一部（先端と基端の途中）のみが回転軸Ｒから遠ざかる方向に湾曲された形状であってもよい。重心位置Ｇ２が回転軸Ｒから遠ざかる破砕部４２の箇所に、湾曲形状部４７が形成されていればよい。また、本実施形態では、壁５１と壁５２が共に、回転軸Ｒを中心とした同心円に沿った形状で形成されている。しかし、例えば、壁５２のみが回転軸Ｒを中心とした同心円に沿った形状で形成されていてもよい。
【００２８】
＜第２実施形態＞
次いで、図１，図７〜９を用いて、第２実施形態のチップ２５について説明する。なお、第１実施形態のチップ２２と同じ図番の箇所の説明は省略する。もちろん、第２実施形態のチップ２５もＵＳハンドピース本体１１に装着可能である。本実施形態のチップ２５は、筒状に形成され、ホーン２１の先端に固定されている。本実施形態のチップ２５は、吸引孔３１、吸引通路３２等を備えている。本実施形態の吸引孔３１は、チップ２５の先端（眼組織を吸引する側の端部）に形成されている。本実施形態では、吸引孔３１と吸引通路３２が連通している。
【００２９】
本実施形態のチップ２５は、軸部４１と破砕部４５を備えている。本実施形態の軸部４１は、回転軸Ｒを中心軸として円筒状に形成される中空の細管である。本実施形態の軸部４１の壁４８は、回転軸Ｒを中心とした曲率半径Ｑ１の曲面で形成されている。本実施形態の軸部４１は、回転軸Ｒを中心として対称な形状で形成されている。換言するなら、軸部４１の重心位置Ｇ１は、回転軸Ｒ上に配置されている（図９参照）。
【００３０】
本実施形態では、軸部４１の先端側（図７の左側）に破砕部４５が接続されている。なお、軸部４１の基端側（図７の右側）は、ホーン２１（図１参照）に接続される。本実施形態の軸部４１は、図７にて矢印αで示されるように、振動子により回転軸Ｒを中心にして所定角度（微少角度）の範囲内を捩れ振動する。軸部４１が前後方向に振動できてもよい。本実施形態の破砕部４５の先端側には、水晶体核７１に接触する刃部４６が形成されている。本実施形態のチップ２５を図７の紙面上方から見た場合、本実施形態の刃部４６の形状はチップ２５の基端方向に湾曲している（図３を合わせて参照されたし）。なお、破砕部４５の基端側は、軸部４１に接続されている。本実施形態では、チップ２５の基端から先端にかけて、吸引通路３２が連通している（図１参照）。なお、本実施形態の破砕部４５も第１実施形態の破砕部４２と同様に、回転軸Ｒの周方向に伸びる湾曲形状部４７を備える。なお、本実施形態のチップ２５を上方から見た場合（図７を紙面上方から見た場合）、破砕部４５の幅（回転軸Ｒに直交する方向）は軸部４１の幅（回転軸Ｒに直交する方向）よりも広い（図９を合わせて参照されたし）。
【００３１】
本実施形態の破砕部４５を詳細に説明する。本実施形態の破砕部４５は、回転軸Ｒを中心として非対称な形状で形成されている。換言するなら、破砕部４５の重心位置Ｇ３は、回転軸Ｒから離れた位置に配置されている（図９参照）。本実施形態の破砕部４５は、壁６１、壁６２、壁６３、および壁６４を有する。壁６１と壁６２は、回転軸Ｒから遠ざかる方向に湾曲している。壁６１と壁６２は、回転軸Ｒの同心円に沿った形状で形成されている。壁５１は、壁５２よりも回転軸Ｒに近い位置に配置されている。なお、本実施形態では、壁４８の曲率半径Ｑ１は壁６１の曲率半径Ｑ３よりも大きい。また、壁６２の曲率半径Ｑ４は壁４８の曲率半径Ｑ１よりも大きい。
【００３２】
壁６１と壁６２の片端（図９では紙面右下）に壁６３が接続され、壁６１と壁６２の他端（図９では紙面右下）に壁６４が接続される。なお、各々の壁同士の接続箇所は、滑らかな曲面で形成されている。壁６３は、回転軸Ｒの周方向に伸びる方向（図９では紙面右下方向）に湾曲している。壁５４も壁５３と同様に、回転軸Ｒの周方向に伸びる方向（図９では紙面下方向）に湾曲している。換言するなら、壁６３と壁６４は、破砕部４５の回転方向であって、回転時に受ける水の抵抗を低減させる方向に湾曲している。本実施形態の破砕部４５は、壁６１、壁６２、壁６３、および壁６４により筒形状で形成されている。つまり、本実施形態の湾曲形状部４７も第１実施形態の湾曲形状部４７と同様に、破砕部４５の曲げ方向と一致させたＵ字形状を形成させ、湾曲形状部４７の内外周を回転軸Ｒの同心円に沿わせた形状といえる。破砕部４５の捩れ振動（回転方向）の面積（投影面積）を減らすことにより、眼内（水中）動作時の水の抵抗を減少できる。なお、破砕部４５は筒状で形成されており、破砕部４５の先端には患者眼の組織を吸引するための吸引孔３１が配置されている。吸引孔３１は吸引通路３２の先端に配置され、吸引通路３２は軸部４１の基端まで伸びる。
【００３３】
図１０を用いて、本実施形態のチップ２５と比較用のチップ２４を比較する。なお、比較用のチップ２４については既に第１実施形態の説明時に述べているため省略する。図１０にて実線で示した箇所は、破砕部（破砕部４５又は破砕部４４）が紙面右方向に回転した際に水の抵抗を受け易い箇所である。領域Ｐ３は本実施形態の破砕部４５が紙面右方向に回転した際に水の抵抗を受け易い領域であり、領域Ｐ２は比較用の破砕部４４が紙面右方向に回転した際に水の抵抗を受け易い領域である。なお、図１０は、一例として、図８のＢ−Ｂ断面位置、および図１１のＣ−Ｃ断面位置を示している。
【００３４】
領域Ｐ３と領域Ｐ２の長さを比較すると、領域Ｐ３の長さは領域Ｐ２の長さよりも短い。つまり、本実施形態のチップ２５も第１実施形態のチップ２２と同様に、比較用のチップ２４よりも、水中での回転時に水の抵抗を受け難い。なお、本実施形態の壁６１と壁６２は回転軸Ｒの概同心円に沿わせた形状であり、壁６１と壁６２は水中での回転時に水の抵抗を受け難い。回転する破砕部が受ける水の抵抗が大きくなるほど、チップは一部または全体が変形し易くなる。本実施形態の破砕部４５は、回転時の水の抵抗を低減させている。これにより、チップ２５の意図しない変形が抑制される。したがって、例えば、チップ２５の意図しない変形による発熱が抑制される。なお、図１０で示す断面図において、吸引通路３２の幅（回転軸Ｒに対する周方向）は、本実施形態の破砕部４５の方が比較用の破砕部４４よりも長い。これにより、本実施形態の破砕部４５は、吸引面積（換言するなら吸引流量）を確保しつつ、回転時の水の抵抗を低減し易い。
【００３５】
＜まとめ＞
以上説明したように、本開示の超音波手術用チップは、回転軸Ｒに沿って先端方向に伸びる軸部４１と、軸部４１の先端側に接続され、回転軸Ｒから離間しつつ先端方向に伸びる破砕部と、破砕部の少なくとも一部に形成され、回転軸Ｒの周方向に伸びる湾曲形状部４７を備えている。これにより、破砕部が水中で回転する際の、水の抵抗を低減できる。
【００３６】
また、本開示の湾曲形状部４７の少なくとも一部の側面は、回転軸Ｒの概同心円に沿った形状で形成されている。これにより、破砕部が水中で回転する際の、水の抵抗をより低減できる。また、本開示の超音波手術用チップであって、湾曲形状部４７の回転軸Ｒと面する側面と、湾曲形状部４７の回転軸Ｒから遠ざかる方向を向く側面は共に、回転軸Ｒの同心円に沿った形状で形成されている。これにより、破砕部が水中で回転する際の、水の抵抗をより低減できる。
【００３７】
また、本開示の超音波手術用チップであって、回転軸Ｒの周方向に配置される湾曲形状部４７の側面は、回転軸Ｒの周方向に膨らむ形状で形成されている。これにより、破砕部が水中で回転する際の、水の抵抗をより低減できる。また、本開示の破砕部は筒状で形成されており、破砕部の先端には患者眼の組織を吸引するための吸引孔３１が配置されている。これにより、患者眼の組織の破砕と、破砕した組織の吸引を好適に行える。
【００３８】
なお、本開示のチップの回転に係わる作用効果は、水中に限るものではない。また、湾曲形状部４７の形状は本開示の形状に限るものでは無い。湾曲形状部の形状は、回転軸Ｒの周方向に伸びる湾曲形状であればよい。一例として、破砕部が伸びる方向に直交する断面において、湾曲形状部の輪郭形状が菱形（一対の頂点は各々が回転軸Ｒの周方向を向く）であってもよい。破砕部に回転軸Ｒの周方向に向けて伸びる湾曲形状部を設けることで、破砕部が水中で回転する際に、破砕部が受ける水の抵抗を低減できればよい。例えば図５の断面図では、湾曲形状部４７の輪郭形状は上下軸に対して対称であるが、同図において輪郭形状が非対称となる湾曲形状部であってもよい。
【００３９】
また、本開示のＵＳハンドピース１は、回転軸Ｒを中心としてチップを捩れ振動させるが、チップを片方向のみ回転させるＵＳハンドピースであってもよい。また、チップが吸引通路３２を備えなくてもよい。本開示の湾曲形状部４７を有するチップにて、眼組織を破砕できるだけでもよい。また、本実施形態は回転軸Ｒに対して回転するチップを述べた。ここで、チップを回転軸Ｒに交差する左右方向に振動させる態様に対しては、破砕部を左右方向に伸ばすように扁平させればよいことは言うまでもない。つまり、軸に沿って前後方向に伸び、且つ、軸と交差する方向に移動可能なチップにおいて、チップの移動方向（軸と交差する方向）に伸びる側面形状部を有すればよい。
【００４０】
今回開示された実施形態はすべての点で例示であって、制限的なものではないと考えられるべきである。本発明の範囲は、上記した説明ではなく、特許請求の範囲によって示され、特許請求の範囲及びこれと均等の意味及び範囲内でのすべての変更が含まれることが意図される。
【符号の説明】
【００４１】
２２：超音波手術用チップ
４１：軸部
４４：破砕部
４７：湾曲形状部
Ｒ：回転軸
【図１】
2018143325.tif 000003
【図２】
2018143325.tif 000004
【図３】
2018143325.tif 000005
【図４】
2018143325.tif 000006
【図５】
2018143325.tif 000007
【図６】
2018143325.tif 000008
【図７】
2018143325.tif 000009
【図８】
2018143325.tif 000010
【図９】
2018143325.tif 000011
【図１０】
2018143325.tif 000012
【図１１】
2018143325.tif 000013
【図１２】
2018143325.tif 000014